(57)【要約】【課題】光源の数を増やさずにユーザへの報知を行う。【解決手段】画像読取装置又は複合機は、画像読取部５０として、原稿台６０と、光源７１ａを保持するキャリッジ７２と、撮像素子と、キャリッジ７２を移動させる移動機構８０とを備えている。画像読取装置又は複合機の制御部は、所定の現象が生じた場合に、ユーザへの報知を行う報知処理を実行する。報知処理において、制御部は、移動機構８０を駆動させ、所定の現象に対応する位置にキャリッジ７２を位置付ける。【選択図】図５
2020057838.tif 000002
【特許請求の範囲】
【請求項１】
記録媒体が載置される載置面を有する原稿台と、
前記載置面に載置された記録媒体に向けて光を照射する光源と、
前記光源から照射されかつ前記記録媒体を反射又は透過した光を受け、当該光を電気信号に変換し出力する撮像素子と、
前記光源を保持するキャリッジと、
前記載置面と平行な走査方向に前記キャリッジを移動させる移動機構と、
所定の現象に対応する前記キャリッジの位置を記憶する記憶部と、
制御部と、を備え、
前記制御部は、
前記所定の現象が生じた場合に、ユーザへの報知を行う報知処理を実行し、
前記報知処理において、前記移動機構を駆動させ、前記所定の現象に対応する位置に前記キャリッジを位置付けることを特徴とする画像読取装置。
【請求項２】
前記所定の現象に対応する位置に、当該現象を示す表示が設けられていることを特徴とする請求項１に記載の画像読取装置。
【請求項３】
前記記憶部は、複数の前記所定の現象のそれぞれに対応する、前記走査方向における複数の前記位置を記憶し、
複数の前記表示が、前記走査方向において互いに異なる位置にあることを特徴とする請求項２に記載の画像読取装置。
【請求項４】
前記原稿台は、前記載置面を構成しかつ透光性を有する透明部材を含み、
前記透明部材に対して前記記録媒体と反対側に配置され、前記載置面と平行な表面を有する表示部を備え、
前記表示部の前記表面に、前記複数の表示が設けられていることを特徴とする請求項３に記載の画像読取装置。
【請求項５】
前記載置面と平行でかつ前記走査方向と直交する直交方向に配列された、複数の前記光源を備え、
前記複数の光源及び前記キャリッジは、前記透明部材と前記表示部との間に配置され、
前記複数の表示は、前記走査方向と前記直交方向とにマトリクス状に設けられ、
前記記憶部は、前記複数の所定の現象のそれぞれに対応する、前記複数の光源の一部をさらに記憶し、
前記制御部は、前記報知処理において、さらに、当該現象に対応する前記複数の光源の一部から、光を照射させることを特徴とする請求項４に記載の画像読取装置。
【請求項６】
前記複数の表示は、前記走査方向と、前記載置面と平行でかつ前記走査方向と直交する直交方向とにおいて、互いに異なる位置に設けられ、
前記キャリッジの前記走査方向の移動に伴い、前記直交方向に移動する連動部であって、前記キャリッジが前記所定の現象に対応する位置に位置付けられたときに、前記複数の表示のうち当該現象を示す表示に対応する位置に位置付けられる連動部を備えたことを特徴とする請求項４に記載の画像読取装置。
【請求項７】
前記連動部は、前記移動機構を構成する部材に連結されていることを特徴とする請求項６に記載の画像読取装置。
【請求項８】
前記複数の表示は、前記走査方向に並んで設けられ、
前記キャリッジの前記走査方向の移動に伴い、前記走査方向に移動する連動部であって、前記キャリッジが前記所定の現象に対応する位置に位置付けられたときに、前記複数の表示のうち当該現象を示す表示に対応する位置に位置付けられる連動部を備え、
前記連動部は、前記移動機構を構成するベルトに設けられていることを特徴とする請求項４に記載の画像読取装置。
【請求項９】
前記載置面は、記録媒体が載置される載置領域と、前記載置領域以外の非載置領域と、を含み、
前記表示は、前記非載置領域に設けられていることを特徴とする請求項２又は３に記載の画像読取装置。
【請求項１０】
前記制御部は、前記報知処理において、さらに、前記光源から光を照射させることを特徴とする請求項１〜４、６〜９のいずれか１項に記載の画像読取装置。
【請求項１１】
記録媒体に画像を形成する画像形成部と、
記録媒体の画像を読み取る画像読取部と、
記憶部と、
制御部と、を備えた複合機において、
前記画像読取部は、
記録媒体が載置される載置面を有する原稿台と、
前記載置面に載置された記録媒体に向けて光を照射する光源と、
前記光源から照射されかつ前記記録媒体を反射又は透過した光を受け、当該光を電気信号に変換し出力する撮像素子と、
前記光源を保持するキャリッジと、
前記載置面と平行な走査方向に前記キャリッジを移動させる移動機構と、を備え、
前記記憶部は、所定の現象に対応する前記キャリッジの位置を記憶し、
前記制御部は、
前記所定の現象が生じた場合に、ユーザへの報知を行う報知処理を実行し、
前記報知処理において、前記移動機構を駆動させ、前記所定の現象に対応する位置に前記キャリッジを位置付けることを特徴とする複合機。
【発明の詳細な説明】
【技術分野】
【０００１】
本発明は、原稿台に載置された記録媒体に対してキャリッジを移動させて記録媒体の画像を読み取る（所謂フラットベッド方式の）画像読取装置、及び、上記方式の画像読取部を備えた複合機（ＭＦＰ：Multi-Function Peripheral））に関する。
【背景技術】
【０００２】
特許文献１には、フラットベッド方式の画像読取装置において、エラーが生じた場合に、画像の読取に用いられる光源を点灯又は点滅させ、色の種類や点滅のタイミングによって、ユーザにエラーを報知することが示されている。
【先行技術文献】
【特許文献】
【０００３】
【特許文献１】特開平１１−２７５２９０号公報
【発明の概要】
【発明が解決しようとする課題】
【０００４】
特許文献１の技術では、色の種類や点滅のタイミングによって、エラー等の報知内容を異ならせることができる。しかしながら、報知内容を増やそうとすると、点滅のタイミングを異ならせるには限りがあるため、色の種類を増やす必要が生じ、光源の数の増加により、製造コストが増加し得る。
【０００５】
本発明の目的は、光源の数を増やさなくともユーザへの報知を行うことができる画像読取装置及び複合機を提供することにある。
【課題を解決するための手段】
【０００６】
本発明に係る画像形成装置は、記録媒体が載置される載置面を有する原稿台と、前記載置面に載置された記録媒体に向けて光を照射する光源と、前記光源から照射されかつ前記記録媒体を反射又は透過した光を受け、当該光を電気信号に変換し出力する撮像素子と、前記光源を保持するキャリッジと、前記載置面と平行な走査方向に前記キャリッジを移動させる移動機構と、所定の現象に対応する前記キャリッジの位置を記憶する記憶部と、制御部と、を備え、前記制御部は、前記所定の現象が生じた場合に、ユーザへの報知を行う報知処理を実行し、前記報知処理において、前記移動機構を駆動させ、前記所定の現象に対応する位置に前記キャリッジを位置付けることを特徴とする。
【０００７】
本発明に係る複合機は、記録媒体に画像を形成する画像形成部と、記録媒体の画像を読み取る画像読取部と、記憶部と、制御部と、を備えた複合機において、前記画像読取部は、記録媒体が載置される載置面を有する原稿台と、前記載置面に載置された記録媒体に向けて光を照射する光源と、前記光源から照射されかつ前記記録媒体を反射又は透過した光を受け、当該光を電気信号に変換し出力する撮像素子と、前記光源を保持するキャリッジと、前記載置面と平行な走査方向に前記キャリッジを移動させる移動機構と、を備え、前記記憶部は、所定の現象に対応する前記キャリッジの位置を記憶し、前記制御部は、前記所定の現象が生じた場合に、ユーザへの報知を行う報知処理を実行し、前記報知処理において、前記移動機構を駆動させ、前記所定の現象に対応する位置に前記キャリッジを位置付けることを特徴とする。
【０００８】
本発明によれば、所定の現象が生じた場合に、ユーザは、キャリッジや、キャリッジに連動する連動部の位置によって、報知内容を理解できる。これにより、光源の数を増やさなくとも、ユーザへの報知を行うことができる。
【０００９】
前記所定の現象に対応する位置に、当該現象を示す表示が設けられてよい。この場合、ユーザが表示により報知内容を理解できることから、ユーザへの報知をより確実に行うことができる。
【００１０】
前記記憶部は、複数の前記所定の現象のそれぞれに対応する、前記走査方向における複数の前記位置を記憶し、複数の前記表示が、前記走査方向において互いに異なる位置にあってよい。この場合、報知内容が複数あるときに、ユーザがどの報知内容かを適切に理解できる。
【００１１】
前記原稿台は、前記載置面を構成しかつ透光性を有する透明部材を含み、本発明に係る画像読取装置は、前記透明部材に対して前記記録媒体と反対側に配置され、前記載置面と平行な表面を有する表示部を備え、前記表示部の前記表面に、前記複数の表示が設けられてよい。この場合、表示部の表面は、載置面を構成する透明部材と対向することから、比較的大きな面積を有し得る。ユーザは、当該大きな面積の表面に設けられた表示を、透明部材を介して確認できる。したがって、ユーザへの報知を確実に行うことができる。
【００１２】
本発明に係る画像読取装置は、前記載置面と平行でかつ前記走査方向と直交する直交方向に配列された、複数の前記光源を備え、前記複数の光源及び前記キャリッジは、前記透明部材と前記表示部との間に配置され、前記複数の表示は、前記走査方向と前記直交方向とにマトリクス状に設けられ、前記記憶部は、前記複数の所定の現象のそれぞれに対応する、前記複数の光源の一部をさらに記憶し、前記制御部は、前記報知処理において、さらに、当該現象に対応する前記複数の光源の一部から、光を照射させてよい。この場合、ユーザは、複数の光源の一部から照射された光によって、マトリクス状に設けられた複数の表示のうちのいずれかを特定できる。また、複数の表示をマトリクス状に設けることで、報知内容を増やすことができる。
【００１３】
前記複数の表示は、前記走査方向と、前記載置面と平行でかつ前記走査方向と直交する直交方向とにおいて、互いに異なる位置に設けられ、本発明に係る画像読取装置は、前記キャリッジの前記走査方向の移動に伴い、前記直交方向に移動する連動部であって、前記キャリッジが前記所定の現象に対応する位置に位置付けられたときに、前記複数の表示のうち当該現象を示す表示に対応する位置に位置付けられる連動部を備えてよい。この場合、ユーザは、直交方向に移動する連動部の位置によって、走査方向と直交方向とにおいて互いに異なる位置に設けられた複数の表示のうちのいずれかを特定できる。また、複数の表示を走査方向と直交方向とにおいて互いに異なる位置に設けることで、ユーザが個々の表示を確認し易い。
【００１４】
前記連動部は、前記移動機構を構成する部材に連結されてよい。この場合、移動機構の駆動により連動部が移動するため、連動部を移動させるための駆動部を別途設ける必要がない。
【００１５】
前記複数の表示は、前記走査方向に並んで設けられ、本発明に係る画像読取装置は、前記キャリッジの前記走査方向の移動に伴い、前記走査方向に移動する連動部であって、前記キャリッジが前記所定の現象に対応する位置に位置付けられたときに、前記複数の表示のうち当該現象を示す表示に対応する位置に位置付けられる連動部を備え、前記連動部は、前記移動機構を構成するベルトに設けられてよい。この場合、移動機構の駆動により連動部が移動するため、連動部を移動させるための駆動部を別途設ける必要がない。
【００１６】
前記載置面は、記録媒体が載置される載置領域と、前記載置領域以外の非載置領域と、を含み、前記表示は、前記非載置領域に設けられてよい。この場合、記録媒体が載置領域に載置された状態でも、ユーザが表示を確認できる。したがって、ユーザへの報知を確実に行うことができる。
【００１７】
前記制御部は、前記報知処理において、さらに、前記光源から光を照射させてよい。この場合、光源からの光によってユーザに注意を促すことで、ユーザへの報知をより確実に行うことができる。
【発明の効果】
【００１８】
本発明によれば、所定の現象が生じた場合に、ユーザは、キャリッジや、キャリッジに連動する連動部の位置によって、報知内容を理解できる。これにより、光源の数を増やさなくとも、ユーザへの報知を行うことができる。
【図面の簡単な説明】
【００１９】
【図１】本発明の第１実施形態に係る複合機を示す斜視図である。
【図２】図１の複合機においてカバーが閉じた状態を示す斜視図である。
【図３】図１の複合機の電気的構成を示すブロック図である。
【図４】図１の複合機に含まれる画像形成部を示す平面図である。
【図５】図１の複合機に含まれる画像読取部を示す平面図である。
【図６】図５の画像読取部の側面図である。
【図７】図１の複合機のＲＯＭに記憶された情報を示すテーブルを示す図である。
【図８】図１の複合機のＣＰＵが実行する報知プログラムを示すフロー図である。
【図９】本発明の第２実施形態に係る複合機に含まれる画像読取部を示す平面図である。
【図１０】本発明の第３実施形態に係る複合機に含まれる画像読取部を示す平面図である。
【図１１】本発明の第４実施形態に係る複合機に含まれる画像読取部を示す平面図である。
【発明を実施するための形態】
【００２０】
＜第１実施形態＞
本発明の第１実施形態に係る複合機１（本発明の第１実施形態に係る画像読取装置にも該当する。）は、図１及び図２に示すように、筐体１ａと、筐体１ａの下部に設けられたインクジェット方式の画像形成部１０と、筐体１ａの上部に設けられたフラットベッド方式の画像読取部５０と、筐体１ａに対して開閉可能に取り付けられたカバー１ｃと、給紙トレイ１ｍと、排紙トレイ１ｎとを備えている。
【００２１】
複合機１は、また、図３に示すように、制御装置１ｐ、通信インターフェース１ｓ、外部メモリインターフェース１ｔ、入力部１ｕ及び出力部１ｖを備えている。制御装置１ｐは、内部バス１ｂを介して、通信インターフェース１ｓ、外部メモリインターフェース１ｔ、入力部１ｕ、出力部１ｖ、画像形成部１０の搬送モータ１４ｍ等、及び、画像読取部５０の光源７１ａ等と接続されている。
【００２２】
制御装置１ｐは、ＣＰＵ（Central Processing Unit）１ｐ１、ＲＯＭ（Read Only Memory）１ｐ２及びＲＡＭ（Random Access Memory）１ｐ３を有する。ＲＯＭ１ｐ２には、ＣＰＵ１ｐ１が各種制御を行うためのプログラムやデータが格納されている。ＲＡＭ１ｐ３は、ＣＰＵ１ｐ１がプログラムを実行する際に用いるデータを一時的に記憶する。
【００２３】
通信インターフェース１ｓは、ネットワークを通じて外部装置（ＰＣ等）との通信を行うためのインターフェースである。外部メモリインターフェース１ｔは、筐体１ａに装着された外部メモリとの通信を行うためのインターフェースである。
【００２４】
入力部１ｕは、例えば筐体１ａに設けられたスイッチやボタンで構成される。出力部１ｖは、例えばスピーカで構成される。複合機１は、ディスプレイ（液晶ディスプレイ等）を備えておらず、タッチパネルディスプレイによる入力や、ディスプレイによる表示出力は行われない。
【００２５】
画像形成部１０は、図４に示すように、搬送機構１４、ヘッド１５及びプラテン１６を有する。
【００２６】
搬送機構１４は、給紙トレイ１ｍに配置された用紙（記録媒体）Ｐを搬送経路Ｒに送り出す給紙ローラ１４ｘと、鉛直方向と直交する直交方向にプラテン１６を挟んで配置された２つのローラ対１４ａ，１４ｂと、搬送経路Ｒを画定するガイド板１４ｇとを有する。給紙ローラ１４ｘ及びローラ対１４ａ，１４ｂは、搬送モータ１４ｍ（図３参照）の駆動により回転する。給紙トレイ１ｍに配置された用紙Ｐは、給紙ローラ１４ｘにより送り出された後、ローラ対１４ａ，１４ｂに挟持され、ローラ対１４ａ，１４ｂの回転により搬送され、排紙トレイ１ｎに受容される。図３に示す用紙センサ１７は、ローラ対１４ａとプラテン１６との間における用紙Ｐの有無を検知し、用紙センサ１８は、ローラ対１４ｂと排紙トレイ１ｎとの間における用紙Ｐの有無を検知する。
【００２７】
ヘッド１５の下面には、多数のノズル（図示略）が形成されている。ヘッド１５は、チューブ等を介して、インクを貯留するカートリッジ１９と連通している。ヘッド１５の内部には、カートリッジ１９から供給されたインクを一時的に貯留するリザーバと、リザーバから各ノズルに至る複数の流路とが形成されている。
【００２８】
カートリッジ１９は、筐体１ａ内に設けられた装着部１９ａに着脱可能に装着されている。装着部１９ａには、図３に示す残量センサ１９ｓが設けられている。残量センサ１９ｓは、カートリッジ１９のインク残量を検知する。
【００２９】
プラテン１６は、平板状の部材であり、ヘッド１５の下方、かつ、直交方向において２つのローラ対１４ａ，１４ｂの間に配置されている。
【００３０】
ＣＰＵ１ｐ１（図３参照）は、外部装置から入力された記録指令に基づいて、ＲＯＭ１ｐ２やＲＡＭ１ｐ３に記憶されているプログラムやデータにしたがい、搬送モータ１４ｍ及びヘッド１５のドライバＩＣ１５ｄを制御する。これにより、搬送機構１４により搬送される用紙Ｐ上に、ヘッド１５のノズルからインクが吐出され、画像が形成される。
【００３１】
画像読取部５０は、図５及び図６に示すように、筐体１ａの上部により構成される原稿台６０と、筐体１ａ内に配置された読取ユニット７０及び移動機構８０とを有する。
【００３２】
原稿台６０の上面（筐体１ａの上面）は、用紙Ｐが載置される載置面６０ａである。載置面６０ａは、鉛直方向と直交する面であって、用紙Ｐが載置される載置領域６０ａｘと、載置領域６０ａｘ以外の領域であり、用紙Ｐが載置されない非載置領域６０ａｙとを含む。載置領域６０ａｘは、透明部材６１の上面により構成されている。透明部材６１は、プラスチックやガラス等からなる透光性を有する板状の部材であり、筐体１ａの上面の開口１ａｘに嵌め込まれている。
【００３３】
カバー１ｃは、図１及び図２に示すように原稿台６０に対して開閉可能であり、載置面６０ａを露出させる開位置（図１）と、載置面６０ａを塞ぐ閉位置（図２）とを取り得る。カバー１ｃを閉位置にすることで、外部からの光が読取ユニット７０に入り込むことが抑制される。
【００３４】
読取ユニット７０は、図５及び図６に示すように、直交方向に延びるラインセンサ７１と、ラインセンサ７１を保持するキャリッジ７２とを有する。
【００３５】
ラインセンサ７１は、直交方向において載置領域６０ａｘよりも若干長い。ラインセンサ７１は、ＣＩＳ(Contact Image Sensor)方式（等倍光学系）であり、Ｒ・Ｇ・Ｂ３色の発光ダイオードでそれぞれ構成される複数の光源７１ａと、複数の筒状等倍レンズ７１ｂと、複数の撮像素子７１ｃとを含む。光源７１ａ、レンズ７１ｂ及び撮像素子７１ｃは、それぞれ直交方向に配列されている。各光源７１ａは、ＣＰＵ１ｐ１（図３参照）の制御により個別に点灯又は消灯可能である。各撮像素子７１ｃは、例えばＣＭＯＳ(Complementary Metal Oxide Semiconductor)で構成される。
【００３６】
移動機構８０は、走査方向（鉛直方向及び直交方向と直交する方向）に延びるガイド８１と、走査方向に載置領域６０ａｘを挟んで配置された一対のプーリ８２ａ，８２ｂと、プーリ８２ａ，８２ｂに巻回されたベルト８３とを含む。ガイド８１は、走査方向において載置領域６０ａｘよりも若干長い。
【００３７】
プーリ８２ａは、移動モータ８０ｍの駆動により回転する。キャリッジ７２は、ガイド８１の上面に支持され、かつ、ベルト８３の上端面に設けられた固定部８３ａに固定されている。プーリ８２ａの回転に伴い、ベルト８３が走行することにより、キャリッジ７２がガイド８１に沿って走査方向に移動する。
【００３８】
載置面６０ａに載置された用紙Ｐの画像を読み取る際、ＣＰＵ１ｐ１（図３参照）は、移動モータ８０ｍを制御し、ホームポジションＨＰとエンドポジションＥＰとの間で、キャリッジ７２を走査方向に往復移動させる。また、このときＣＰＵ１ｐ１は、複数の光源７１ａを点灯させる。これにより、複数の光源７１ａのそれぞれから、載置面６０ａに載置された用紙Ｐに向けて光が照射される。当該光は、透明部材６１を透過して用紙Ｐで反射され、レンズ７１ｂを通って、撮像素子７１ｃに入射する。撮像素子７１ｃは、受けた光を電気信号に変換し、ＣＰＵ１ｐ１に出力する。
【００３９】
透明部材６１の下方（即ち、透明部材６１に対して用紙Ｐと反対側）であって、読取ユニット７０のさらに下方には、図６に示すように、表示部９０が設けられている。表示部９０の表面９０ａは、載置面６０ａと平行である。表面９０ａには、図５に示すように、複数の表示９１が設けられている。
【００４０】
複数の表示９１は、それぞれ、「用紙なし」「紙詰まり」「インク切れ」「ネットワーク不通」「外部メモリ未装着」「要メンテナンス」という現象を示す文字９１ａと、三角マーク９１ｂとから構成されている。三角マーク９１ｂは、直交方向と平行な底辺９１ｂｘと、走査方向において底辺９１ｂｘとホームポジションＨＰとの間に位置する１つの頂点９１ｂｙとを有する。
【００４１】
複数の表示９１は、走査方向と直交方向とにマトリクス状に設けられている。「用紙なし」「紙詰まり」「インク切れ」の表示９１は、走査方向において互いに同じ位置にあり、直交方向に並んでいる。「ネットワーク不通」「外部メモリ未装着」「要メンテナンス」の表示９１は、走査方向において互いに同じ位置にあり、直交方向に並んでいる。「用紙なし」「紙詰まり」「インク切れ」の表示９１と、「ネットワーク不通」「外部メモリ未装着」「要メンテナンス」の表示９１とは、走査方向において互いに異なる位置にある。
【００４２】
「用紙なし」は、画像形成部１０による画像形成の開始時に、用紙センサ１７が用紙Ｐを検知しない現象（給紙トレイ１ｍに用紙Ｐが置かれていないと推察される現象）をいう。「紙詰まり」は、画像形成部１０による画像形成の際、搬送モータ１４ｍが駆動を開始してから所定時間経過後に、用紙センサ１７は用紙Ｐを検知したが用紙センサ１８が用紙Ｐを検知しない現象（ローラ対１４ａ，１４ｂ間で用紙Ｐがジャムしたと推察される現象）をいう。「インク切れ」は、残量センサ１９ｓにより検知されたインク残量が所定量未満である現象（カートリッジ１９が空に近いと推察される現象）をいう。
【００４３】
「ネットワーク不通」は、画像読取部５０によって読み取られた画像のデータを外部装置に送信するという指令が入力部１ｕを介して入力されたときに、通信インターフェース１ｓが外部装置と接続していない現象（ネットワークが確立されていないと推察される現象）をいう。「外部メモリ未装着」は、画像読取部５０によって読み取られた画像のデータを外部メモリに送信するという指令が入力部１ｕを介して入力されたときに、外部メモリインターフェース１ｔが外部メモリと接続していない現象（外部メモリが筐体１ａに装着されていないと推察される現象）をいう。「要メンテナンス」は、ヘッド１５における最初のインク吐出時点又はユーザによるヘッド１５のメンテナンス作業が前回行われた時点から所定期間が経過した現象（ユーザによるヘッド１５のメンテナンス作業が必要と推察される現象）をいう。ＣＰＵ１ｐ１による制御の下、パージ（ノズルから強制的にインクを排出させること）やワイピング（ワイパによるヘッド１５下面の拭き取り）が行われるが、ユーザによるヘッド１５のメンテナンス作業（例えば、専用クリーニング液を浸透させた部材を用いたヘッド１５下面の拭き取り作業）が行われることで、用紙Ｐに形成される画像の品質を良好に維持することができる。
【００４４】
ＲＯＭ１ｐ２は、図７に示すように、「用紙なし」「紙詰まり」「インク切れ」の現象に対応するキャリッジ７２の位置として「位置Ａ」、「ネットワーク不通」「外部メモリ未装着」「要メンテナンス」の現象に対応するキャリッジ７２の位置として「位置Ｂ」を記憶している。図５に示すように、キャリッジ７２が位置Ａに位置付けられたとき、「用紙なし」「紙詰まり」「インク切れ」の表示９１の三角マーク９１ｂがキャリッジ７２と走査方向に隣接する。キャリッジ７２が位置Ｂに位置付けられたとき、「ネットワーク不通」「外部メモリ未装着」「要メンテナンス」の表示９１の三角マーク９１ｂがキャリッジ７２と走査方向に隣接する。
【００４５】
ＲＯＭ１ｐ２は、キャリッジ７２の位置Ａ，Ｂとして、例えば、ホームポジションＨＰから位置Ａ，Ｂまでキャリッジ７２が移動する際の、移動モータ８０ｍの回転数を記憶している。
【００４６】
ＲＯＭ１ｐ２は、さらに、図７に示すように、「用紙なし」「ネットワーク不通」の現象に対応する光源として「光源７１ａｘ」、「紙詰まり」「外部メモリ未装着」の現象に対応する光源として「光源７１ａｙ」、「インク切れ」「要メンテナンス」の現象に対応する光源として「光源７１ａｚ」を記憶している。図５に示すように、ラインセンサ７１に設けられた複数の光源７１ａのうち、キャリッジ７２が位置Ａ，Ｂのそれぞれに位置付けられたときに「用紙なし」「ネットワーク不通」の表示９１と走査方向に隣接する光源が、「光源７１ａｘ」である。ラインセンサ７１に設けられた複数の光源７１ａのうち、キャリッジ７２が位置Ａ，Ｂのそれぞれに位置付けられたときに「紙詰まり」「外部メモリ未装着」の表示９１と走査方向に隣接する光源が、「光源７１ａｙ」である。ラインセンサ７１に設けられた複数の光源７１ａのうち、キャリッジ７２が位置Ａ，Ｂのそれぞれに位置付けられたときに「インク切れ」「要メンテナンス」の表示９１と走査方向に隣接する光源が、「光源７１ａｚ」である。
【００４７】
次いで、図８を参照し、ＣＰＵ１ｐ１が実行する報知プログラムについて説明する。
【００４８】
ＣＰＵ１ｐ１は、先ず、上記各現象が生じたか否かを判断する（Ｓ１）。具体的には、ＣＰＵ１ｐ１は、用紙センサ１７，１８からの信号に基づいて「用紙なし」「紙詰まり」の現象が生じたか否かを判断し、残量センサ１９ｓからの信号に基づいて「インク切れ」の現象が生じたか否かを判断する。また、ＣＰＵ１ｐ１は、通信インターフェース１ｓからの信号に基づいて「ネットワーク不通」の現象が生じたか否かを判断し、外部メモリインターフェース１ｔからの信号に基づいて「外部メモリ未装着」の現象が生じたか否かを判断する。また、ＣＰＵ１ｐ１は、ＲＡＭ１ｐ３に記憶された、ヘッド１５における最初のインク吐出時点又はユーザによるヘッド１５のメンテナンス作業が前回行われた時点に基づいて、「要メンテナンス」の現象が生じたか否かを判断する。
【００４９】
ＣＰＵ１ｐ１は、いずれの現象も生じていないと判断した場合（Ｓ１：ＮＯ）、Ｓ１の処理を繰り返す。
【００５０】
ＣＰＵ１ｐ１は、いずれかの現象が生じたと判断した場合（Ｓ１：ＹＥＳ）、画像形成処理等を実行中の場合は処理を中断し、読取ユニット７０を用いて、ユーザへの報知を行う報知処理を実行する（Ｓ２）。Ｓ２において、ＣＰＵ１ｐ１は、ＲＯＭ１ｐ２に記憶された情報（図７参照）に基づき、移動機構８０を駆動させ、当該現象に対応する位置Ａ又は位置Ｂにキャリッジ７２を位置付ける。さらに、ＣＰＵ１ｐ１は、ＲＯＭ１ｐ２に記憶された情報（図７参照）に基づき、当該現象に対応する光源７１ａｘ〜７１ａｚのいずれかを点灯させる。
【００５１】
ユーザは、キャリッジ７２の位置Ａ，Ｂ及び光源７１ａｘ〜７１ａｚの点灯によって、報知内容を理解し、適宜対応を行うことができる。
【００５２】
Ｓ２の後、ＣＰＵ１ｐ１は、当該現象が解消されたか否かを判断する（Ｓ３）。例えば、「用紙なし」の現象については、ユーザが給紙トレイ１ｍに用紙Ｐを置いて入力部１ｕの印刷スタートボタンを押すことで、入力部１ｕから当該ボタンの押下を示す信号が送信されたときに、当該現象が解消されたと判断される。「紙詰まり」の現象については、ユーザがジャムした用紙Ｐを筐体１ａから取り除くことで、用紙センサ１７，１８が共に用紙Ｐを検知しなくなったときに、当該現象が解消されたと判断される。「インク切れ」の現象については、ユーザがカートリッジ１９を交換し、残量センサ１９ｓにより検知されたインク残量が所定量以上となったときに、当該現象が解消されたと判断される。「ネットワーク不通」の現象については、ユーザがネットワークの状態を確認して適宜対応を行い、通信インターフェース１ｓが外部装置と接続した状態となったときに、当該現象が解消されたと判断される。「外部メモリ未装着」の現象については、ユーザが外部メモリを筐体１ａに装着し、外部メモリインターフェース１ｔが外部メモリと接続した状態となったときに、当該現象が解消されたと判断される。「要メンテナンス」の現象については、ユーザがヘッド１５のメンテナンス作業を行って入力部１ｕのメンテナンス完了ボタンを押すことで、入力部１ｕから当該ボタンの押下を示す信号が送信されたときに、当該現象が解消されたと判断される。
【００５３】
ＣＰＵ１ｐ１は、当該現象が解消されていないと判断した場合（Ｓ３：ＮＯ）、Ｓ３の処理を繰り返す。
【００５４】
ＣＰＵ１ｐ１は、当該現象が解消されたと判断した場合（Ｓ３：ＹＥＳ）、読取ユニット７０を元の状態に戻す復帰処理を実行する（Ｓ４）。Ｓ４において、ＣＰＵ１ｐ１は、移動機構８０を駆動させ、キャリッジ７２をホームポジションＨＰに戻す。さらに、ＣＰＵ１ｐ１は、Ｓ２で点灯させた光源７１ａｘ〜７１ａｚのいずかを消灯させる。Ｓ４の後、ＣＰＵ１ｐ１は、当該プログラムを終了する。
【００５５】
以上に述べたように、本実施形態によれば、所定の現象が生じた場合に、報知処理が行われ、所定の現象に対応する位置Ａ又は位置Ｂにキャリッジ７２が位置付けられる（図８のＳ２、図５参照）。ユーザは、キャリッジ７２の位置によって、報知内容を理解できる。これにより、光源７１ａの数を増やさなくとも、ユーザへの報知を行うことができる。
【００５６】
所定の現象に対応する位置に、当該現象を示す表示９１が設けられている（図５参照）。この場合、ユーザが表示９１により報知内容を理解できることから、ユーザへの報知をより確実に行うことができる。
【００５７】
ＲＯＭ１ｐ２は、複数の所定の現象のそれぞれに対応する、走査方向における複数の位置Ａ，Ｂを記憶している。そして、複数の表示９１が、走査方向において互いに異なる位置にある（図５、図７参照）。この場合、報知内容が複数あるときに、ユーザがどの報知内容かを適切に理解できる。
【００５８】
透明部材６１に対して用紙Ｐと反対側に配置された表示部９０の表面９０ａに、複数の表示９１が設けられている（図６参照）。この場合、表示部９０の表面９０ａは、載置面６０ａを構成する透明部材６１と対向することから、比較的大きな面積を有し得る。ユーザは、当該大きな面積の表面９０ａに設けられた表示９１を、透明部材６１を介して確認できる。したがって、ユーザへの報知を確実に行うことができる。
【００５９】
複数の表示９１が、走査方向と直交方向とにマトリクス状に設けられており、ＣＰＵ１ｐ１は、報知処理Ｓ２において、当該現象に対応する複数の光源７１ａの一部（光源７１ａｘ〜７１ａｚのいずれか）から、光を照射させる（図５、図８参照）。この場合、ユーザは、複数の光源７１ａの一部から照射された光によって、マトリクス状に設けられた複数の表示９１のうちのいずれかを特定できる。また、複数の表示９１をマトリクス状に設けることで、報知内容を増やすことができる。
【００６０】
＜第２実施形態＞
次に、図９を参照し、本発明の第２実施形態に係る複合機（本発明の第２実施形態に係る画像読取装置にも該当する。）について説明する。本実施形態と第１実施形態との主な相違点は、表示９１の数及び配置、ベルト８３の内周面に凹凸が形成されている点、ギヤ２８１、噛合部材２８２及び連動部２８３が設けられた点、所定の現象が生じたときにキャリッジ７２が位置付けられる位置、報知処理Ｓ２においてラインセンサ７１の全ての光源７１ａを点灯させる点にある。
【００６１】
本実施形態では、「用紙なし」「紙詰まり」「インク切れ」の３つの表示９１が、走査方向と直交方向とにおいて互いに異なる位置に設けられている。換言すると、３つの表示９１は、走査方向と直交方向との両方に交差する斜め方向に並んでいる。
【００６２】
ギヤ２８１は、キャリッジ７２の下面に、鉛直方向に沿った軸を中心として回転可能に取り付けられている。噛合部材２８２は、キャリッジ７２及びベルト８３の下方において、直交方向に延び、凹凸が形成された側面を有する。ギヤ２８１の周面は、噛合部材２８２の凹凸と噛み合い、かつ、ベルト８３の凹凸と噛み合っている。ベルト８３の走行に伴い、キャリッジ７２が走査方向に移動すると、ギヤ２８１がキャリッジ７２と共に走査方向に移動しながら回転し、ギヤ２８１の回転に伴い噛合部材２８２が直交方向に移動する。
【００６３】
連動部２８３は、噛合部材２８２における直交方向に沿った側面のうち、凹凸が形成された側面と反対側の側面に、固定されている。連動部２８３は、三角形状の部材であって、直交方向と平行な底辺２８３ｘと、走査方向において底辺２８３ｘとエンドポジションＥＰとの間に位置する１つの頂点２８３ｙとを有する。連動部２８３は、キャリッジ７２の走査方向の移動に伴い、噛合部材２８２と共に、直交方向に移動する。
【００６４】
ＲＯＭ１ｐ２は、「用紙なし」「紙詰まり」「インク切れ」の現象に対応するキャリッジ７２の位置として、「位置Ｘ」「位置Ｙ」「位置Ｚ」をそれぞれ記憶している。キャリッジ７２が位置Ｘに位置付けられたとき、「用紙なし」の表示９１の三角マーク９１ｂが連動部２８３と走査方向に隣接し、鉛直方向から見て当該三角マーク９１ｂの頂点９１ｂｙと連動部２８３の頂点２８３ｙとが対向する。キャリッジ７２が位置Ｙに位置付けられたとき、「紙詰まり」の表示９１の三角マーク９１ｂが連動部２８３と走査方向に隣接し、鉛直方向から見て当該三角マーク９１ｂの頂点９１ｂｙと連動部２８３の頂点２８３ｙとが対向する。キャリッジ７２が位置Ｚに位置付けられたとき、「インク切れ」の表示９１の三角マーク９１ｂが連動部２８３と走査方向に隣接し、鉛直方向から見て当該三角マーク９１ｂの頂点９１ｂｙと連動部２８３の頂点２８３ｙとが対向する。
【００６５】
ＲＯＭ１ｐ２は、各現象に対応する特定の光源７１ａを記憶していない。報知処理Ｓ２において、ＣＰＵ１ｐ１は、当該現象に対応する位置Ｘ〜Ｙのいずれかにキャリッジ７２を位置付けると共に、ラインセンサ７１の全ての光源７１ａを点灯させる。
【００６６】
以上に述べたように、本実施形態によれば、第１実施形態と同様の構成による第１実施形態と同様の効果に加え、以下の効果を得ることができる。
【００６７】
キャリッジ７２の走査方向の移動に伴って直交方向に移動する連動部２８３が設けられており、ユーザは、連動部２８３の位置によって、走査方向と直交方向とにおいて互いに異なる位置に設けられた３つの表示９１のうちのいずれかを特定できる。また、３つの表示９１を走査方向と直交方向とにおいて互いに異なる位置に設けることで、ユーザが個々の表示９１を確認し易い。
【００６８】
連動部２８３は、移動機構８０を構成する部材であるベルト８３に連結されている。この場合、移動機構８０の駆動により連動部２８３が移動するため、連動部２８３を移動させるための駆動部を別途設ける必要がない。
【００６９】
ＣＰＵ１ｐ１は、報知処理Ｓ２において、光源７１ａから光を照射させる。この場合、光源７１ａからの光によってユーザに注意を促すことで、ユーザへの報知をより確実に行うことができる。
【００７０】
＜第３実施形態＞
次に、図１０を参照し、本発明の第３実施形態に係る複合機（本発明の第３実施形態に係る画像読取装置にも該当する。）について説明する。本実施形態と第１実施形態との主な相違点は、表示９１の数及び配置、ベルト８３に連動部３８３が設けられた点、所定の現象が生じたときにキャリッジ７２が位置付けられる位置、報知処理Ｓ２においてラインセンサ７１の全ての光源７１ａを点灯させる点にある。
【００７１】
本実施形態では、「用紙なし」「紙詰まり」「インク切れ」の３つの表示９１が、直交方向において互いに同じ位置にあり、走査方向に並んでいる。また本実施形態において、各表示９１に含まれる三角マーク９１ｂは、配置角度が第１実施形態と異なり、走査方向と平行な底辺９１ｂｘと、直交方向において底辺９１ｂｘとベルト８３との間に位置する１つの頂点９１ｂｙとを有する。
【００７２】
連動部３８３は、ベルト８３に固定されている。連動部３８３は、三角形状の部材であって、走査方向と平行な底辺３８３ｘと、直交方向において底辺３８３ｘと各表示９１との間に位置する１つの頂点３８３ｙとを有する。連動部３８３は、ベルト８３の走行時に、キャリッジ７２の走査方向の移動に伴い、走査方向に移動する。
【００７３】
ＲＯＭ１ｐ２は、「用紙なし」「紙詰まり」「インク切れ」の現象に対応するキャリッジ７２の位置として、「位置Ｘ」「位置Ｙ」「位置Ｚ」をそれぞれ記憶している。キャリッジ７２が位置Ｘに位置付けられたとき、「用紙なし」の表示９１の三角マーク９１ｂが連動部３８３と直交方向に隣接し、鉛直方向から見て当該三角マーク９１ｂの頂点９１ｂｙと連動部３８３の頂点３８３ｙとが対向する。キャリッジ７２が位置Ｙに位置付けられたとき、「紙詰まり」の表示９１の三角マーク９１ｂが連動部３８３と直交方向に隣接し、鉛直方向から見て当該三角マーク９１ｂの頂点９１ｂｙと連動部３８３の頂点３８３ｙとが対向する。キャリッジ７２が位置Ｚに位置付けられたとき、「インク切れ」の表示９１の三角マーク９１ｂが連動部３８３と直交方向に隣接し、鉛直方向から見て当該三角マーク９１ｂの頂点９１ｂｙと連動部３８３の頂点３８３ｙとが対向する。
【００７４】
ＲＯＭ１ｐ２は、各現象に対応する特定の光源７１ａを記憶していない。報知処理Ｓ２において、ＣＰＵ１ｐ１は、当該現象に対応する位置Ｘ〜Ｙのいずれかにキャリッジ７２を位置付けると共に、ラインセンサ７１の全ての光源７１ａを点灯させる。
【００７５】
以上に述べたように、本実施形態によれば、第１実施形態と同様の構成による第１実施形態と同様の効果に加え、以下の効果を得ることができる。
【００７６】
移動機構８０の駆動により連動部３８３が移動するため、連動部３８３を移動させるための駆動部を別途設ける必要がない。
【００７７】
また、第２実施形態と同様、ＣＰＵ１ｐ１は、報知処理Ｓ２において、光源７１ａから光を照射させる。この場合、光源７１ａからの光によってユーザに注意を促すことで、ユーザへの報知をより確実に行うことができる。
【００７８】
＜第４実施形態＞
次に、図１１を参照し、本発明の第４実施形態に係る複合機（本発明の第４実施形態に係る画像読取装置にも該当する。）について説明する。本実施形態と第１実施形態との主な相違点は、表示９１の数及び配置、報知処理Ｓ２においてラインセンサ７１の全ての光源７１ａを点灯させる点にある。
【００７９】
本実施形態では、「用紙なし」「紙詰まり」「インク切れ」の３つの表示９１が、載置面６０ａにおける非載置領域６０ａｙに設けられている。非載置領域６０ａｙは、樹脂等からなる不透明部材で構成されている。３つの表示９１は、直交方向において互いに同じ位置にあり、走査方向に並んでいる。また本実施形態において、各表示９１に含まれる三角マーク９１ｂは、配置角度が第１実施形態と異なり、走査方向と平行な底辺９１ｂｘと、直交方向において底辺９１ｂｘと載置領域６０ａｘとの間に位置する１つの頂点９１ｂｙとを有する。
【００８０】
ＲＯＭ１ｐ２は、「用紙なし」「紙詰まり」「インク切れ」の現象に対応するキャリッジ７２の位置として、「位置Ｘ」「位置Ｙ」「位置Ｚ」をそれぞれ記憶している。キャリッジ７２が位置Ｘに位置付けられたとき、「用紙なし」の表示９１の三角マーク９１ｂがキャリッジ７２の直交方向の一端と鉛直方向に重なる。キャリッジ７２が位置Ｙに位置付けられたとき、「紙詰まり」の表示９１の三角マーク９１ｂがキャリッジ７２の直交方向の一端と鉛直方向に重なる。キャリッジ７２が位置Ｚに位置付けられたとき、「インク切れ」の表示９１の三角マーク９１ｂがキャリッジ７２の直交方向の一端と鉛直方向に重なる。
【００８１】
ＲＯＭ１ｐ２は、各現象に対応する特定の光源７１ａを記憶していない。報知処理Ｓ２において、ＣＰＵ１ｐ１は、当該現象に対応する位置Ｘ〜Ｙのいずれかにキャリッジ７２を位置付けると共に、ラインセンサ７１の全ての光源７１ａを点灯させる。
【００８２】
以上に述べたように、本実施形態によれば、第１実施形態と同様の構成による第１実施形態と同様の効果に加え、以下の効果を得ることができる。
【００８３】
表示９１が非載置領域６０ａｙに設けられているため、用紙Ｐが載置領域６０ａｘに載置された状態でも、ユーザが表示９１を確認できる。したがって、ユーザへの報知を確実に行うことができる。
【００８４】
また、第２実施形態と同様、ＣＰＵ１ｐ１は、報知処理Ｓ２において、光源７１ａから光を照射させる。この場合、光源７１ａからの光によってユーザに注意を促すことで、ユーザへの報知をより確実に行うことができる。
【００８５】
＜変形例＞
以上、本発明の好適な実施形態について説明したが、本発明は上述の実施形態に限られるものではなく、特許請求の範囲に記載した限りにおいて様々な設計変更が可能なものである。
【００８６】
連動部は、第２及び第３実施形態では三角形状であるが、任意の形状（四角、円形等）であってよい。また、連動部は、移動機構を構成する部材に連結されること（第２実施形態）や、移動機構を構成するベルトに設けられること（第３実施形態）に限定されず、移動機構とは別の駆動部により駆動されるように構成されてもよい。
【００８７】
報知処理において、上述の実施形態では光源を点灯させるが、光源を点滅させてもよい。また、報知処理において、光源を点灯又は点滅させなくてもよい（即ち、光源から光を照射しなくてもよい）。
【００８８】
表示は、文字、図形及び記号の少なくとも１つを含む限りは任意に構成されてよく、アルファベット、数字、二次元コード等を含んでよい。表示は、原稿台の側面に設けられてよい。表示は、シールや刻印等、任意の方法で設けられてよい。
【００８９】
表示をカバーの表面に設け、カバーにカバーの表面から裏面に貫通する貫通孔を形成し、貫通孔を介してキャリッジの位置や光源からの光を確認できる構成としてもよい。なお、貫通孔を介した載置面への異物浸入を防止するため、透光性を有する部材で貫通孔を塞ぐことが好ましい。
【００９０】
光源は、発光ダイオードに限定されず、蛍光ランプであってもよく、また、白色の光源のみでもよい。光源は、原稿台の下側に配置されることに限定されず、カバーに配置されてもよい。この場合、原稿台の下側に配置された撮像素子は、光源から照射されかつ記録媒体を透過した光を受け、当該光を電気信号に変換し出力してよい。或いは、撮像素子は、光源と共にカバーに配置され、光源から照射されかつ記録媒体を反射した光を受け、当該光を電気信号に変換し出力してもよい。
【００９１】
撮像素子は、ＣＭＯＳ(Complementary Metal Oxide Semiconductor)に限定されず、ＣＣＤ(Charge Coupled Device)等であってもよい。
【００９２】
キャリッジは、上述の実施形態では光源、撮像素子及びレンズを保持するが、光源を保持する限りは、その他の保持する部材は特に限定されない。例えば、キャリッジが光源及び撮像素子を保持し、レンズが原稿台に固定されてもよい。キャリッジは、光源及びミラーを保持してもよい。
【００９３】
画像読取部は、レンズを含まなくてもよい。また、画像読取部に、ミラーを追加してもよい。
【００９４】
画像読取部は、ＣＩＳ方式に限定されず、ＣＣＤ(Charge Coupled Device)方式（縮小光学系）であってもよい。
【００９５】
画像形成部のヘッドは、シリアル式（走査方向に移動しつつノズルから記録媒体に対して液体を吐出する方式）、ライン式（位置が固定された状態で搬送機構により搬送される記録媒体に対してインクを吐出する方式）のいずれでもよい。また、画像形成部は、液体吐出式に限定されず、例えばレーザ式、サーマル式等であってもよい。
【００９６】
記録媒体は、用紙に限定されず、例えば布等であってもよい。
【００９７】
本発明に係る画像読取装置は、複合機に限定されない（即ち、画像読取部を有するが画像形成部を有さない装置であってもよい）。
【００９８】
画像読取装置又は複合機は、ディスプレイを備えてもよい。
【符号の説明】
【００９９】
１  複合機（画像読取装置）
１ｐ１  ＣＰＵ（制御部）
１ｐ２  ＲＯＭ（記憶部）
１０  画像形成部
５０  画像読取部
６０  原稿台
６０ａ  載置面
６０ａｘ  載置領域
６０ａｙ  非載置領域
６１  透明部材
７０  読取ユニット
７１ａ  光源
７１ｃ  撮像素子
７２  キャリッジ
８０  移動機構
８３  ベルト
９０  表示部
９０ａ  表面
９１  表示
Ａ，Ｂ；Ｘ〜Ｚ  位置
Ｐ  用紙（記録媒体）
２８３；３８３  連動部
【図１】
2020057838.tif 000003
【図２】
2020057838.tif 000004
【図３】
2020057838.tif 000005
【図４】
2020057838.tif 000006
【図５】
2020057838.tif 000007
【図６】
2020057838.tif 000008
【図７】
2020057838.tif 000009
【図８】
2020057838.tif 000010
【図９】
2020057838.tif 000011
【図１０】
2020057838.tif 000012
【図１１】
2020057838.tif 000013